(57)【要約】      （修正有）【課題】電子製品などの操作部を埃から保護する蓋を提供する。【解決手段】制御基板、スイッチ装置、電源、噴霧ノズル部品等を配置した本体を前蓋１１と後蓋およびトップ蓋で覆う構造において、前蓋にスライド蓋１２を設けて、該スライド蓋を前蓋内側に設けたスライド機構により上下スライドして噴霧ノズル部品の露出する前面を閉鎖する構造とし、該スライド機構をＬ字型スプリング１５により、スライド作用の中間域で反発作用を発揮させ、スライド蓋の閉鎖及び開放位置で反発力から開放されるようにする。【選択図】図３
0003161123.tif 000002
【実用新案登録請求の範囲】
【請求項１】
本体及び本体を覆う前蓋と後蓋を有し、前蓋の上端に開口を設けると共にその開口の下部に機器を収容する空間部を設け、
該空間部と開口の間でスライドして該開口を開閉するスライド蓋を設け、
該スライド蓋と前蓋との間に中間にコイル両端に延長したアームを形成したコイルスプリングを配置して、
スプリングのアーム両端をスライド蓋と前蓋とに枢着して、その枢着位置がスライト蓋の開閉操作の中間点で最接近して該アームを介してスプリングが最大に圧縮されると共に中間点をすぎると間隔が開いてスプリングの作用が開放されるように配置することにより、
該スライド蓋の閉鎖及び開放位置を保持するようにしたことを特徴とする電子製品の保護装置。
【請求項２】
前記前蓋の内側の空間部の両側に縦方向に、前蓋の内壁に垂直に互いに平行で長い壁状の立板を設けて、該立板にスライド溝を設け、
さらに該立板と前蓋の内壁との接続部分の外側にガイド溝を設けて上記スライド蓋の部材を該スライド溝に嵌合すると共に該ガイド溝に沿ってスライド移動するようにしたことを特徴とする請求項１記載の電子製品保護構造。
【請求項３】
前記スライド溝は立板を貫き、スライド溝は本体の縦軸方向とほぼ平行な第一スライド溝、及び第一スライド溝の一端から傾斜して伸びる第二スライド溝で構成されて、スライド溝に一段の段差を設けてスライド蓋の位置決め構造を形成させることを特徴とする請求項２記載の電子製品の保護構造。
【請求項４】
前記立板上に前蓋の内壁と平行に突出する舌片を設け、その舌片上にスプリング留めとなる連結柱を設けて、舌片の連結柱を前記スプリングの固定端とすることを特徴とする請求項２または３記載の電子製品の保護構造。
【請求項５】
前記空間部の下底端にポケット状の停止溝を突出して形成し、その停止溝は前蓋の正面と上方に向いて開口を形成する凹溝且つスライド蓋の停止部の移動終点であって、その停止溝の内壁は傾斜面としたことを特徴とする請求項２、３または４記載の電子製品の保護構造。
【請求項６】
前記スライド蓋の内側に一対の垂直に突出し且つ互いに対称な凸フックを前蓋のガイド溝を貫いて設置し、それぞれの凸フックの相対する面に一つの凸ガイドブロックを設けて立板のスライド溝中に嵌合し、スライド蓋の内壁には突出した停止部を設けてスプリングの枢接端とすることを特徴とする請求項２、３，４または５記載の電子製品の保護構造。
【請求項７】
前記停止部の下部は柱体で、中間部はスプリング留めである環状凹溝として、上部は下部と同じ形の柱体とすると共に、スプリングを環状凹溝に嵌合するような平面に削られてなることを特徴とする請求項６記載の電子製品の保護構造。
【考案の詳細な説明】
【技術分野】
【０００１】
本考案は電子製品の保護構造に関し、特にスライド蓋の開閉運用機能を有する保護構造に関するものである。
【背景技術】
【０００２】
現在の電子製品の構造は益々精巧になり、特に精密操作部品を有する製品、例えば医療美容機能を有する噴霧装置がある。空気の乾燥及び長時間の冷房環境によって皮膚の水分を失って乾燥させられるため、美容に関心の高い女性たちは肌の潤いを保つ為に、常時顔に水分を補給しなければならない。超音波スプレーは既にこの方面において広範に使用され、特に独自の微孔ノズル式の振動片によって水またはその他の化粧液を数十万Hz以上の振動によって霧化させて噴出する技術によって、肌の深層まで浄化させるだけでなく、化粧液の成分を皮膚の表皮から浸透させたり深部にまで到達させたりして、皮下細胞に十分に化粧液のエッセンスを吸収させて皮膚の細胞を活性化し、肌の弾力と光沢とを回復させる。しかし、化粧や皮膚の角質層の状態によって、噴霧液は直ちに肌の深層まで浸透することができない場合など、低温光のエネルギー光波を介して角質層を軟化させ、顔の皮膚がケアローションの栄養成分を速やかに吸収するように促進する必要がある。
【０００３】
図８を参照して従来の携帯式美容噴霧装置を説明する。従来の携帯式噴霧装置は携帯と操作用の本体及び液供給装置から構成されている。このタイプの構造は使用に手軽さがあるが、使用過程中に不備と欠陥が生じることに対する保護設計がなく、噴霧ノズルを未使用の状態下で長期間空気中に放置して暴露させると、ほこりが付着したり、細菌の汚染を受けやすくなったりする。ほこりによって噴霧ノズルの極小ノズル孔に目詰まりを起こし、製品の使用寿命を短縮させることもある。本考案は上記の欠陥と不備に対し、長期の研究により工学的な改善を行い、上記の不足と欠陥を解決することを目的とする。
【先行技術文献】
【特許文献】
【０００４】
【特許文献１】特開２００６−７４４４４号公報
【考案の概要】
【考案が解決しようとする課題】
【０００５】
本考案の目的は、これら電子製品の保護構造を提供し、その保護構造はスライド蓋を有して、未使用時は操作部品をカバーする機能を果たせ、使用時はスライド蓋を押して移動し、操作部品を露出させて操作可能とする。操作部品を保護する機能を有し、操作部品に汚染を受けさせない。
【０００６】
スライド蓋の構造は、簡単でスプリングを制動パーツとして利用し、スライド蓋は移動時にスプリングの制動を受けて、移動の終点に到達した時には力を受けない状態となり、スライド蓋のガイドレール構造と合わせて定位置を保持できるようになる。
【課題を解決するための手段】
【０００７】
上記目的を達成するために、本考案の電子製品の保護構造は前蓋と後蓋によってカバーされる本体を有しその本体内に収納空間を形成し、その収納空間の上部は操作部品の設置に提供し、その収納空間の下部は制御基板と電力供給装置の敷設スペースを提供する。
【０００８】
前蓋の上端に操作部品の設置場所に位置する開口を有し、当該開口の下方には一大空間部があって、スライド蓋が縦方向に移動するときにスプリングの活動空間を提供する。前蓋の内側にある大空間部の縦方向の両側に、前蓋の内壁に垂直且つ互いに平行な立板を設け、スライド蓋を設置するために立板と前蓋の内壁との接続部分の外側にガイド溝を設けて、立板上にスライド溝を設けることになる。当該スライド溝の末端に傾斜した斜溝があり、一つの立板上に前蓋の内壁と平行して突出する舌片を設けて、その舌片上にスプリングを嵌合する連結柱を設ける。大空間部の下端部には突出して設置したポケット状の停止溝があって、この停止溝がスライド蓋の停止部の移動終点となる。
【０００９】
スライド蓋の内側に一対の垂直に突出し且つ互いに対称な凸フックを前蓋のガイド溝を貫いて設置し、それぞれの凸フックの相対する面に一つの凸ガイドブロックを設けて立板のスライド溝中に嵌め止められ、スライド蓋は凸ガイドブロックを介してスライド溝に沿って縦向きに移動できる。スライド蓋の内壁の適当な位置には突出した停止部を設けられ、スプリングの嵌め止めとなる。
【００１０】
そのスプリングの構造は比較的特殊で、力を受けた時のエネルギーを蓄える機構として使う若干のコイルを有し、当該スプリングの両端を直線状とし、スプリングの両端は力を受けない状態で一つの挟角を形成し、更に両端の末端に枢接環を形成して、舌片に設けられた連結柱とスライド蓋内壁の停止部とそれぞれ枢接して、スプリングをスライド蓋の移動制御パーツとする。
【００１１】
スライド蓋を開くときにスライド蓋に対して作用力を加え、スライド蓋の上半部を押さえると同時に下向きに押して、凸ガイドブロックをスライド溝中でスライドさせる。この時のスプリングは力を受けて圧縮し始め、スプリングの変形量が方向転換変化の臨界点を超えると（スライド蓋の移動距離の大よそ1/2の所）、スプリングは蓄えたエネルギーを放出し始め、スライド蓋を引続きに移動させて自動的に移動終点に到達させ、蓋を開く動作が終了すると噴霧ノズル部品が露出する。使用完了にスライド蓋を閉じるとき、同様の動作でスライド蓋に対して作用力を加え、再度スライド蓋を押さえて上向きに押し、スプリングに力の作用を受けさせると、スプリングは相反するモードでスライド蓋を動かし、元の定位置へ戻すと閉合動作は終了する。
【考案の効果】
【００１２】
本考案は特殊なスライド溝構造とスプリングとの作用により、スライド蓋を移動の両端点に定位させて滑走しないようにする。操作部品を保護する機能を備えながら製品の質感を増しただけでなく、同時にユーザーにスムーズな操作体験をさせることもできる。
【図面の簡単な説明】
【００１３】
【図１】本考案の実施の形態に係わる正面図である。
【図２】本考案の実施の形態に係わる立体分解図である。
【図３】本考案の実施の形態に係わる一部の部品の立体分解説明図である。
【図４】本考案の実施の形態に係わる前蓋の別の角度の立体図である。
【図５Ａ】本考案の具体的実施例中、スライド蓋の背面図である。
【図５Ｂ】本考案の実施の形態に係わるスライド蓋の別の角度の説明図である。
【図６】本考案の実施の形態に係わるスプリングの立体図である。
【図７Ａ】本考案の実施の形態に係わるスプリングの動作説明図である。
【図７Ｂ】本考案の実施の形態に係わるスプリングの動作説明図である。
【図７Ｃ】本考案の実施の形態に係わるスプリングの動作説明図である。
【図８】従来の製品の説明図である。
【考案を実施するための形態】
【００１４】
以下、本考案の実施形態について図面を参照して説明する
【実施例１】
【００１５】
本考案の実施構造を詳細に説明するため、本考案の好適かつ具体的な実施例を添付図と合わせて以下のように説明する。この実施例は本考案の構造を説明しやすくするための構造であって、本考案に対していかなる制限を加えるものではない。
【００１６】
本考案の電子製品の保護構造の一つの具体的実施例として図１と図２と図３を参照して説明する。この実施例は、本考案に係わる医療美容機能を有する噴霧装置である。本実施例において、噴霧装置１００は前蓋１１と後蓋１３でカバーされる本体１を有し、その本体１を長方形の箱体とするが、これはただ本考案を説明しやすくためで、その本体１の形状に対し、いかなる制限もない。その本体１は、本考案の実施において、工業設計の需要に基づいて異なる形状で実現することができる。
【００１７】
本体1の内部に一つの収納空間があり、その収納空間の上部に貯液タンク、噴霧ノズル部品１６、及びＬＥＤ装置１７の設置スペースを提供する。その収納空間の下部は制御基板１９と電力供給装置２１の敷設スペースを提供する。本体１の上方にトップ蓋１４を設けて貯液タンクの注入口の保護装置とし、本体１の片側にスイッチ装置１８を設け、本体1の底部に外部電源供給コネクタ２０を備える。噴霧ノズル部品１６、ＬＥＤ装置１７、制御基板１９と電力供給装置２１は従来の技術であるため、上記パーツの詳細な構造は省略する。
【００１８】
図３と図４を参照する。その前蓋１１と後蓋１３は本体1の形状に合わせて長方形を呈する。前蓋１１の上端は開口１１１を有し、この開口１１１は噴霧ノズル部品１６とＬＥＤ装置１７の設置場所に位置する。そのため開口１１１の形状は噴霧ノズル部品１６とＬＥＤ装置１７の設置場所の形状に合わせる。前蓋１１はその開口１１１の下方、すなわち大空間部１１２に位置する。この大空間部１１２はスライド蓋１２が縦向き移動するときに、スプリング１５の可動空間に提供する。本実施例中、その大空間部１１２は一つの長方形の開口とするが、これはただ本考案を説明しやすくためで、その大空間部１１２は、工業設計の需要に基づいて異なる形状で表現することができる。大空間部１１２の形状に対し、いかなる制限を与えるものではない。
【００１９】
大空間部１１２と開口１１１は、スライド蓋１２が閉合操作する為の移動区域を形成し、前蓋１１の内側の大空間部１１２の両側に縦方向に前蓋１１の内壁に垂直且つ互いに平行な一対の立板１１３を設ける。当該立板１１３は長い壁状でスライド溝１１４が設けられ、さらに立板１１３と前蓋１１の内壁との連結部分の外側にはガイド溝１１５が設けられる。ガイド溝１１５とスライド溝１１４はスライド蓋１２を設置する為に設けられる。
【００２０】
スライド溝１１４は立板１１３にスリット状に形成され、スライド溝１１４は、本体１の縦軸方向とほぼ平行な第一スライド溝１１４１と第一スライド溝１１４１の一端から傾斜して延長される第二スライド溝１１４２から構成され、スライド溝１１４に段差式構造を形成する。ガイド溝１１５の適当な位置に拡大用の取付スロット１１５１が設けられてスライド蓋１２の配置空間を提供する。立板上の適当な位置に前蓋の内壁と平行に突出する舌片を設け、その舌片上にスプリング留めを提供するための連結柱を設けて、舌片の連結柱をスプリングの固定端とする
【００２１】
大空間部１１２の下端部にはポケット状の停止溝１１８を突出して設置し、その停止溝１１８は前蓋１１の正面と上方に向けて開口を形成する凹溝であって、スライド蓋１２の停止部１２２の移動終点である。停止部１２２を滑り込みやすくさせるために、停止溝１１８の内壁は傾斜面を形成する。前蓋１１の内側には若干個の垂直に突出する螺子１１９が設けられ、本体1の対応位置のねじ穴を貫いて設ける。後蓋１３にも同様に螺子１３１を設けて、本体の前蓋１１の螺子１３１を貫き、互いに連結させて、前蓋１１と本体１と後蓋１３との三者を緊密に結合して一体にする。
【００２２】
図５Ａ及び図５Ｂを参照する。そのスライド蓋１２は片状構造であり、本実施例において、そのスライド蓋１２は前蓋１１の構造に合わせて長方形とし、その内側の適当な位置に一対の垂直に突出し、且つ互いに対称な凸フック１２１を設置する。凸フック１２１は前蓋１１のガイド溝１１５を貫いて設置し、その凸フック１２１の相対する面上にそれぞれ一つの凸ガイドブロック１２１１を設ける。
【００２３】
本実例中、その凸ガイドブロック１２１１の形状は円柱形とするが、他の実施例において、凸ガイドブロック１２１１の形状はこれに限らず、スライド蓋に立設することができ、且つ容易に緩んで脱落しなければよい。凸ガイドブロック１２１１は立板１１３のスライド溝１１４中に嵌め込まれ、スライド蓋１２は凸ガイドブロック１２１１により、スライド溝１１４中で自由にスライドして縦方向に移動することができる。スライド蓋１２の内壁の適当な位置に突出した停止部１２２を設置し、スプリング１５の枢接端として使い、梃子原理の力点となる。
【００２４】
本実施例において、停止部１２２の下部を柱体１２２２としてその中間部にスプリング１５を係止する環状凹溝１２２１を設け、上部は下部柱体１２２２と同じ柱体１２２２′とする。柱体１２２２′は一側面を平面に削られてスプリング１５を環状凹溝１２２１に止めやすく、且つ脱落し難いようにする。
【００２５】
本考案において、前蓋１１の大空間部１１２のサイズや、舌片１１６と停止溝１１８の位置や、スライド溝１１４の長さや、スライド蓋１２の停止部１２２の相互の位置関係は、精密な計算を通して、スプリング１５の作用に最良の効果を生じさせるようにする。
【００２６】
図６を参照する。スプリング１５に最良の使用効果を発揮さるため、そのスプリング１５の構造には特徴がある。本実施例において、スプリング１５は力を受けた時にエネルギーを蓄える機構である第一コイル１５１と、第二コイル１５２と、第三コイル１５３を包括して梃子原理の支点とする。スプリング１５の両端は直線状で連結アーム１５４と１５４′を形成し、その末端はそれぞれ枢接環１５５、１５５′を形成し、前蓋１１の舌片１１６上にある連結柱１１７、及びスライド蓋１２の停止部１２２と枢接する。スプリング１５の両連結アーム１５４、１５４′は力を受けない時に、一つの挟角を形成してスプリング１５をスライド蓋１２の移動制御パーツとする。
【００２７】
図７Ａ、図７Ｂ、及び図７Ｃを参照する。本考案を操作する時、スライド蓋１２を開く動作はスライド蓋１２に対して作用力を加え、スライド蓋１２の上半部を押さえると同時に下向きに押して、凸ガイドブロック１２１１を第二スライド溝１１４２の定位置点から、第一スライド溝１１４１へスライドさせる。この時、同時にスプリング１５も力を受けて圧縮し始め、スプリング１５の変形量が方向転換変化の臨界点を超える時（スライド蓋のストロークのおおよそ１／２の所）、スプリング１５は蓄えたエネルギーの放出を開始し、スライド蓋１２を継続的に移動させ、スライド蓋１２の停止部１２２を前蓋１１の大空間部１１２の下底端の停止溝１１８に移動した時、停止溝１１８の阻止を受け、すぐ移動を停止する。この時、スプリング１５も力を受けない状態で、ちょうどスライド蓋12を定位置に到達させ、移動させないようにして、噴霧ノズル部品１６とＬＥＤ装置１７の作用エリアを露出させ、開く動作が完了する。
噴霧装置１００の使用完了に伴いスライド蓋１２を閉じる時は、同じ動作を繰り返し、再びスライド蓋１２を押さえて上向きに押し、スライド蓋１２の停止部１２２を反対方向へ移動させ、スプリング１５を再び力を受けて圧縮させる。
【００２８】
スプリング１５の方向転換変化の臨界点に行った後、スプリング１５は蓄えたエネルギーの放出を開始し、スライド蓋１２を継続的に移動させ、凸ガイドブロック１２１１は第一スライド溝１１４１から傾斜する第二スライド溝１１４２へ進入し、第二スライド溝１１４２末端の定位置点に到達する。この時、スライド蓋１２の停止部１２２も丁度大空間部１１２の上方の縁にあたり、スプリング１５は再び力を受けない状態に戻り、スライド蓋１２を前蓋１１の閉鎖区域へ復帰させて、閉合動作を終了する。前蓋１１の閉鎖区域は前蓋１１の表面に対して、一定の凹みがあるため、その凹みの深さとスライド蓋１２の厚みが同じとされて、スライド蓋１２が閉合完了した時、スライド蓋１２は前蓋１１の閉鎖区域にぴったり位置決めされ、スライド蓋１２と前蓋１１は面一の平面を形成する。このためスライド蓋１２に対して、力を加えない限り、スライド蓋１２はスプリング１５と第二スライド溝１１４２の留め合わせる作用により、外部の力の影響を受けても容易に開くことはない。
【００２９】
本考案の特徴は、これらの機能を発揮するスプリング１５の作用により、それぞれ前蓋１１の固定端とスライド蓋１２の可動端に枢接し、スライド蓋１２を押して、スライド蓋１２の制動を制御する。同時に前蓋１１の段差式スライド溝１１４により、スライド蓋１２を終端に移動させたとき位置決めの作用も達成する。本考案は、簡潔な設計理念を用いて噴霧ノズル部品が汚染を受けないよう保護する機能を有し、更に噴霧装置の一体的なデザインを提供する。
【００３０】
上記の説明からわかるように、スライド蓋式の保護構造は他の電子製品、例えばデジタルカメラや携帯電話等のように保護作用が必要な電子製品にも適用し、操作部品を適切に保護するだけでなく電子製品に一体的なデザインを提供する。
【符号の説明】
【００３１】
１００    噴霧装置
１        本体
１１      前蓋
１１１    開口
１１２    大空間部
１１３    立板
１１４    スライド溝
１１４１  第一スライド溝
１１４２  第二スライド溝
１１５    ガイド溝
１１５１  取付けスロット
１１６    舌片
１１７    連結柱
１１８    停止溝
１１９    螺子
１２０    スライド蓋
１２１    凸フック
１２１１  凸ガイドブロック
１２２    停止部
１２２１  環状凹溝
１２２２,１２２２′柱体
１３      後蓋
１３１    螺子
１４      トップ蓋
１５      スプリング
１５１    第一コイル
１５２    第二コイル
１５３    第三コイル
１５４，１５４′連接臂
１６      噴霧ノズル部品
１５４，１５４′連結アーム
１７      ＬＥＤ装置
１８      スイッチ装置
１９      制御基板
２０      外部電源供給コネクタ
２１      電力供給装置
【図１】
0003161123.tif 000003
【図２】
0003161123.tif 000004
【図３】
0003161123.tif 000005
【図４】
0003161123.tif 000006
【図５Ａ】
0003161123.tif 000007
【図５Ｂ】
0003161123.tif 000008
【図６】
0003161123.tif 000009
【図７Ａ】
0003161123.tif 000010
【図７Ｂ】
0003161123.tif 000011
【図７Ｃ】
0003161123.tif 000012
【図８】
0003161123.tif 000013